(57)【要約】【課題】面戸を凹凸屋根材に簡単に固定できる屋根構造を提供することを課題とする。【解決手段】屋根下地上に設けられた凹凸屋根材３を備える。凹凸屋根材３が、下方に開口し上方に突出する凸部３０と上方に開口し下方に凹む凹部３１を軒に沿う方向に交互に有する。凹凸屋根材３の軒側端部に面戸２が設けられる。凸部３０の軒側端部に係止用孔３００が形成される。面戸２が、凸部３０の軒側開口を閉塞する閉塞部２１と、閉塞部２１から突出する係止用突部２２を有する。係止用突部２２が係止用孔３００に挿入されて係止される。【選択図】図１
2014095237.tif 000002
【特許請求の範囲】
【請求項１】
屋根下地上に設けられた凹凸屋根材を備え、この凹凸屋根材が、下方に開口し上方に突出する凸部と上方に開口し下方に凹む凹部を軒に沿う方向に交互に有し、この凹凸屋根材の軒側端部に面戸が設けられた屋根構造であって、前記凸部の軒側端部に係止用孔が形成され、前記面戸が、前記凸部の軒側開口を閉塞する閉塞部と、この閉塞部から突出する係止用突部を有し、この係止用突部が前記係止用孔に挿入されて係止されたことを特徴とする屋根構造。
【請求項２】
前記面戸が、棟側に向かって突出して前記屋根下地と前記凹凸屋根材の凹部の底面部の間に挟まれる固定部を有することを特徴とする請求項１に記載の屋根構造。
【請求項３】
前記凸部の上面における軒側端部がその棟側部分よりも段落した段落部となり、前記係止用孔が前記凸部の上面における段落部とその棟側部分の間の段差に形成され、前記係止用突部として前記閉塞部の上端部から棟側に向かって突出する突片部が形成され、この突片部が前記係止用孔に挿入されたことを特徴とする請求項１又は請求項２に記載の屋根構造。
【請求項４】
前記係止用孔が前記凸部の両側面部に形成され、前記係止用突部が前記閉塞部の両外側に向かって突出する突片部で構成され、前記両突片部が対応する前記係止用孔に挿入されて係止されたことを特徴とする請求項１又は請求項２に記載の屋根構造。
【発明の詳細な説明】
【技術分野】
【０００１】
本発明は凹凸屋根材に面戸が設けられた屋根構造に関する。
【背景技術】
【０００２】
特許文献１には折板屋根の端部に面戸が固定された屋根構造が開示されている。
【先行技術文献】
【特許文献】
【０００３】
【特許文献１】特開２０１０−３７８５４号公報
【発明の概要】
【発明が解決しようとする課題】
【０００４】
ところで、凸部と凹部を軒に沿う方向に交互に有する凹凸屋根材において、凸部の軒側端部に面戸を固定するには、ビスを用いたり、凹凸屋根材の軒側端部を面戸を巻き込むように折り曲げたりすることが考えられる。しかし、いずれの施工も手間を要し、高所において行われる施工としては好ましくない。
【０００５】
本発明は上記事情に鑑みてなされたものであって、面戸を凹凸屋根材に簡単に固定できる屋根構造を提供することを課題とする。
【課題を解決するための手段】
【０００６】
上記課題を解決するために本発明の屋根構造は、屋根下地上に設けられた凹凸屋根材を備え、この凹凸屋根材が、下方に開口し上方に突出する凸部と上方に開口し下方に凹む凹部を軒に沿う方向に交互に有し、この凹凸屋根材の軒側端部に面戸が設けられた屋根構造であって、前記凸部の軒側端部に係止用孔が形成され、前記面戸が、前記凸部の軒側開口を閉塞する閉塞部と、この閉塞部から突出する係止用突部を有し、この係止用突部が前記係止用孔に挿入されて係止されたことを特徴とする。
【０００７】
また、前記面戸が、棟側に向かって突出して前記屋根下地と前記凹凸屋根材の凹部の底面部の間に挟まれる固定部を有することが好ましい。
【０００８】
また、前記凸部の上面における軒側端部がその棟側部分よりも段落した段落部となり、前記係止用孔が前記凸部の上面における段落部とその棟側部分の間の段差に形成され、前記係止用突部として前記閉塞部の上端部から棟側に向かって突出する突片部が形成され、この突片部が前記係止用孔に挿入されることが好ましい。
【０００９】
また、前記係止用孔が前記凸部の両側面部に形成され、前記係止用突部が前記閉塞部の両外側に向かって突出する突片部で構成され、前記両突片部が対応する前記係止用孔に挿入されて係止されることが好ましい。
【発明の効果】
【００１０】
本発明にあっては、係止用突部を係止用孔に挿入して係止するだけで、面戸の閉塞部を凹凸屋根材の凸部に簡単に固定することができ、高所における面戸の施工が容易になる。
【図面の簡単な説明】
【００１１】
【図１】第一実施形態の軒側の屋根構造を示す斜視図である。
【図２】同上の屋根構造の斜視図である。
【図３】同上の軒側における屋根構造を示す断面図である。
【図４】同上の面戸を凹凸屋根材に取り付ける様子を示した斜視図である。
【図５】同上の凹凸屋根材の軒側端部を示す斜視図である。
【図６】同上の面戸の要部拡大斜視図である。
【図７】（ａ）〜（ｃ）は面戸の突片部が係止用孔に係止される様子を順に示した斜視断面図である。
【図８】第二実施形態の軒側の屋根構造を示す斜視図である。
【図９】同上の軒側における屋根構造を示す断面図である。
【図１０】同上の面戸を凹凸屋根材に取り付ける様子を示した斜視図である。
【図１１】同上の面戸を凹凸屋根材に取り付ける様子を示した拡大斜視図である。
【発明を実施するための形態】
【００１２】
以下、本発明を添付図面に基づいて説明する。
【００１３】
（第一実施形態）
本実施形態の屋根構造は図２に示されるように片流れ屋根を有する建物１に適用したものである。以下では、傾斜した屋根面に沿って軒と棟を結ぶ矢印Ｄ１に示す方向を軒棟方向とし、軒に沿う矢印Ｄ２に示す方向を軒方向として説明する。
【００１４】
図３に示されるように建物１軒側の外壁の上端部には屋外側に向かって突出する軒部１０が形成されている。軒部１０の屋外側端部は下方程屋内側に位置するように傾斜した鼻隠し１１（鼻板）で構成されている。
【００１５】
建物１の屋根下地は垂木等の構造躯体上に設けられた野地板１２で構成されている。野地板１２は棟側から軒側に向かって一様な角度で下り傾斜しており、屋根勾配と平行である。野地板１２の軒側端部は鼻隠し１１よりも屋外側（棟と反対側）に突出している。
【００１６】
野地板１２の軒側端部には軒方向に長い面戸２が設けられている。面戸２は鋼板製である。なお、面戸２は鋼板以外の金属板で形成してもよい。また、面戸２の材質は金属に限定されるものではない。
【００１７】
面戸２は図４に示されるように板状部２０と、複数の閉塞部２１と、各閉塞部２１に設けられた係止用突部２２を有している。
【００１８】
板状部２０は軒方向に長い矩形状に形成されている。板状部２０の屋外側部分には板状部２０の長手方向に所定の間隔を介して複数の開口２０１が並べて形成されている。各開口２０１は板状部２０の厚み方向に貫通し、軒方向に長い矩形状に形成されている。板状部２０は、各開口２０１よりも棟側に突出した部分が、野地板１２に対して固定される固定部２００となっている。
【００１９】
図６に示されるように閉塞部２１は各開口２０１の屋外側縁部から立ち上がっている。各閉塞部２１は板状部２０に対して直角に交わる板状に形成されている。各閉塞部２１は対応する開口２０１と略同大同形の矩形状に形成されている。
【００２０】
係止用突部２２は各閉塞部２１の両側に設けられている。各係止用突部２２は閉塞部２１の側縁から突出した突片部２２０で構成されている。各突片部２２０は閉塞部２１の側縁の上端部及び下端部を除く部分に亘って形成されている。図７（ｃ）に示されるように各突片部２２０は閉塞部２１の側縁から閉塞部２１の外側に向かって突出している。各突片部２２０は閉塞部２１の幅方向外側に行く程屋外側に位置するように傾斜している。
【００２１】
図３に示されるように面戸２の固定部２００は野地板１２に載置されている。固定部２００はビスや釘等の固着具による固着あるいは接着剤による接着等によって野地板１２の軒側端部に固定されている。面戸２の板状部２０の屋外側部分は野地板１２より屋外側に突出している。これにより、面戸２の各開口２０１は野地板１２よりも屋外側に配置されている。
【００２２】
野地板１２上には図２に示されるように凹凸屋根材３が軒方向に複数並べて載置されている。ここで、各凹凸屋根材３の軒側部分は、図３に示されるように面戸２の固定部２００を介して野地板１２に載置されている。面戸２の固定部２００は野地板１２と凹凸屋根材３の凹部３１の底面部の間に挟まれて固定されている。
【００２３】
各凹凸屋根材３は鋼板製である。なお、各凹凸屋根材３は鋼板以外の金属板で形成してもよく、また、その材質は金属に限定されるものではない。各凹凸屋根材３は、図２に示されるように下方に開口し上方に突出する凸部３０と上方に開口し下方に凹む凹部３１を有している。凸部３０と凹部３１は軒方向に交互に形成されている。各凸部３０の側面部は隣接する凹部３１の側面部を兼ねている。同側面部は凸部３０の天面部や凹部３１の底面部に対して直交している。
【００２４】
各凸部３０の両側面部の軒側端部には、図５に示されるように係止用孔３００と抜け止め部３０３が形成されている。各係止用孔３００は凸部３０の高さ方向に長い直線状の孔３０１で構成されている。孔３０１は凸部３０の側面部を貫通している。
【００２５】
抜け止め部３０３は図７（ｃ）に示されるように各孔３０１の屋外側の縁部から凸部３０の幅方向内側に向けて突出した片部で構成されている。各抜け止め部３０３は凸部３０の幅方向内側に行く程棟側に位置するように傾斜している。各孔３０１及び各抜け止め部３０３は、例えば凸部３０の側面部を構成する板部の一部を切り起こすことで形成される。
【００２６】
図示は省略するが、隣り合う凹凸屋根材３は野地板１２上に設けられた連結具を介して連結されている。連結具は例えばビスや釘等の固着具による固着によって野地板１２に固定される。これにより、各凹凸屋根材３は連結具を介して野地板１２に固定される。また、連結具にはカバー部材が取り付けられ、カバー部材によって隣り合う凹凸屋根材３の間の部分、及びここに配置された連結具が覆われている。
【００２７】
図３に示されるように、野地板１２とこの上に配置された各凹凸屋根材３の間には、通気空間１３が形成されている。通気空間１３は凸部３０と野地板１２とで囲まれた空間であって、軒方向に凹凸屋根材３の凸部３０と同数形成されている。各通気空間１３は凹凸屋根材３の軒棟方向における略全長に亘って形成されている。
【００２８】
各凹凸屋根材３の軒側端部は、軒棟方向において野地板１２の軒側縁よりも屋外側に突出した出代部３２を構成している。面戸２の各開口２０１は対応する凸部３０の天面部の軒側端部の下方に位置している。なお、面戸２の板状部２０において凹凸屋根材３の各凹部３１に対応する部分には開口２０１は形成されておらず、同部は対応する凹部３１の底面部を下から支える。面戸２の各開口２０１は対応する凸部３０内に形成された通気空間１３に連通している。これにより、通気空間１３には面戸２の対応する開口２０１を介して外気が導入されるようになっている。すなわち、面戸２の各開口２０１は通気空間１３に外気を導入する通気口として機能する。また、図示は省略するが、各凸部３０の棟側端部は開放されており、これにより各通気空間１３に導入された外気は棟側から排出されるようになっている。
【００２９】
各凹凸屋根材３の各凸部３０の軒側端部には、面戸２の対応する閉塞部２１が嵌め込まれている。各閉塞部２１によって対応する凸部３０の軒側開口が閉塞され、通気空間１３には雨水や小鳥、虫等が入り難くなる。
【００３０】
面戸２の各閉塞部２１は例えば以下のようにして対応する凸部３０に嵌め込まれる。まず、先に野地板１２上に載置固定された面戸２の閉塞部２１の棟側に凸部３０が位置するように凹凸屋根材３を野地板１２上に配置し、面戸２の閉塞部２１を図７（ａ）に示されるように配置する。そして、この凹凸屋根材３を図４の矢印に示されるように野地板１２に沿って軒側に移動する。これにより、各凸部３０の軒側端部には対応する閉塞部２１が挿入される。また、このとき、面戸２の各突片部２２０は、図７（ｂ）に示されるように対応する凸部３０の内側面部に沿って弾性変形しながら凸部３０の内側に入り込む。続いて各突片部２２０は凹凸屋根材３の対応する抜け止め部３０３を棟側に弾性変形させながら乗り越え、この後、図７（ｃ）に示されるように弾性復帰して凹凸屋根材３の対応する孔３０１に挿入される。これにより、面戸２の各突片部２２０は、対応する孔３０１の周縁部に軒棟方向及び凸部３０の高さ方向（凸部３０の天面部に対して垂直な方向）における移動が規制された状態で係止され、面戸２の各閉塞部２１は対応する凸部３０に対して固定される。また、凹凸屋根材３の各抜け止め部３０３は面戸２の対応する閉塞部２１の屋外側に位置し、閉塞部２１が凸部３０に対して相対的に屋外側に移動することが規制される。このため、突片部２２０と孔３０１との係止は外れ難くなる。なお、面戸２の閉塞部２１を凸部３０に嵌め込む作業は上記に限定されるものではない。
【００３１】
図３に示されるように軒部１０の屋外側には、軒樋４が軒部１０に沿って設けられている。軒樋４は取付具（不図示）を介して鼻隠し１１に取り付けられている。凹凸屋根材３の軒側縁は、建物１外壁に直交する屋内外方向において軒樋４の両側の壁部の間に位置する。このため、各凹凸屋根材３の凹部３１や凸部３０の上面（天面部の上面）から屋外側に流出した雨水は軒樋４で受けられるようになっている。また、面戸２の各開口２０１も屋内外方向において軒樋４の両側の壁部の間に位置している。このため、仮に通気空間１３に雨水が入って開口２０１から落下したとしても、この雨水を軒樋４で受けられるようになっている。
【００３２】
図２に示されるように複数の凹凸屋根材３で構成される屋根面上には、機能パネルとしての太陽光発電パネル５が設けられている。太陽光発電パネル５は、シリコンを主材料とした半導体素子により太陽光エネルギーを電気エネルギーに変換して出力するものである。
【００３３】
太陽光発電パネル５は複数の凸部３０の上面に跨って載置されている。このように太陽光発電パネル５を凸部３０の上面に載置することで、凸部３０内側の通気空間１３を流れる外気により太陽光発電パネル５を冷却することができる。太陽光発電パネル５は、周囲の雰囲気温度が高い場合や、直射日光が長時間照射された場合等に、発電素子が高温になって発電効率（変換効率）が低下する恐れがある。しかし、本実施形態では太陽光発電パネル５を通気空間１３を流れる外気により冷却することができるので、太陽光発電パネル５の発電効率の低下を抑えることができる。
【００３４】
以上説明した本実施形態の屋根構造では、面戸２の閉塞部２１から突出した係止用突部２２（突片部２２０）が、凹凸屋根材３の凸部３０の軒側端部に形成された係止用孔３００（孔３０１）に挿入されて係止されている。このため、係止用突部２２を係止用孔３００に挿入するだけで、面戸２の閉塞部２１を凹凸屋根材３の凸部３０に係止して固定することができる。従って、高所における面戸２の施工が容易になる。
【００３５】
また、本実施形態の面戸２は棟側に向かって突出して野地板１２と凹凸屋根材３の凹部３１の底面部の間に挟まれる固定部２００を有している。このため、面戸２を野地板１２に対して固定してしっかりと取り付けることができる。また、このように面戸２を野地板１２に対して固定することで、面戸２に係止された凹凸屋根材３の凸部３０を浮き上がり難くすることができる。
【００３６】
また、本実施形態では、係止用孔３００が凸部３０の両側面部に形成され、係止用突部２２が閉塞部２１の両外側に向かって突出する突片部２２０で構成され、両係止用突部２２が対応する係止用孔３００に挿入されて係止されている。これにより、閉塞部２１が凸部３０に対して軒棟方向及び凸部３０の高さ方向に移動することを規制して、閉塞部２１を凸部３０にしっかりと固定することができる。
【００３７】
（第二実施形態）
次に上記とは異なる第二実施形態について説明する。なお、以下の第二実施形態の説明では、第一実施形態と同一の構成については同一の番号を付与し、重複する説明は省略する。
【００３８】
面戸２は図１０や図１１に示されるものであって、図８及び図９に示されるように凹凸屋根材３の凸部３０に取り付けられる。図１１等に示されるように本実施形態の面戸２の各係止用突部２２は、各閉塞部２１の上端部から棟側に向かって突出する突片部２２１で構成されている。各突片部２２１は対応する閉塞部２１の上縁に亘って形成されている。各突片部２２１の先部は屋外側に位置する基部よりも幅が狭くなった差込部２２２となっている。
【００３９】
面戸２の板状部２０において各開口２０１よりも屋外側に位置する部分は、凹凸屋根材３の出代部３２よりもさらに屋外側に突出した水切部２０２を構成している。さらに水切部２０２の屋外側部分は屋内側部分から屋外側斜め下方に向けて突出しており、その上面は屋根勾配よりも大きく下り傾斜した急斜面部２０３となっている。
【００４０】
一方、凹凸屋根材３の各凸部３０の上面における軒側端部は、その棟側部分よりも段落した段落部３０４となっている。各凸部３０の係止用孔３００は、凸部３０の上面における段落部３０４とその棟側部分の間の段差に形成された孔３０２で構成されている。孔３０２は凸部３０の幅方向に長い直線状に形成されており、凸部３０の幅方向に亘っている。
【００４１】
面戸２の各閉塞部２１は例えば以下のように対応する凸部３０に嵌め込まれる。まず、図１０に示されるように先に野地板１２上に載置固定された面戸２の閉塞部２１の棟側に凸部３０が位置するように凹凸屋根材３を野地板１２上に配置する。そして、この凹凸屋根材３を図１０の矢印に示されるように野地板１２に沿って軒側に移動する。これにより、各凸部３０の軒側端部には対応する閉塞部２１が挿入される。また、このとき、面戸２の各突片部２２１の差込部２２２は、凹凸屋根材３の対応する凸部３０の孔３０２に屋外側から差し込まれる。これにより、面戸２の各差込部２２２は対応する孔３０２の周縁部に軒棟方向及び上側への移動が規制された状態で係止され、面戸２の各閉塞部２１は対応する凸部３０に対して固定される。また、図９に示されるように面戸２の各突片部２２１の屋外側部分は凹凸屋根材３の段落部３０４上に載置され、段落部３０４の上方への移動が規制される。すなわち、突片部２２１は凸部３０の天面部を上方から押さえて凹凸屋根材３の野地板１２からの浮き上がりを抑制する押さえ部を構成する。なお、面戸２の閉塞部２１を凸部３０に嵌め込む作業は上記に限定されるものではない。
【００４２】
図９等に示されるように面戸２の各突片部２２１は、その先端側の差込部２２２が孔３０２から凸部３０に挿入されている。差込部２２２は凸部３０の段落部３０４よりも棟側の天面部の下面に沿って配置されている。また、図示は省略するが、面戸２の水切部２０２の屋外側端部は屋内外方向において軒樋４の両側の壁部の間に位置している。このため、凹凸屋根材３上から水切部２０２に流れ込み、この後、水切部２０２の屋外側縁（急斜面部２０３の屋外側縁）から流れ落ちた雨水を軒樋４で受けられるようになっている。
【００４３】
以上説明した本実施形態の屋根構造も、係止用突部２２（突片部２２１）を係止用孔３００（孔３０２）に挿入するだけで、面戸２の閉塞部２１を凹凸屋根材３の凸部３０に係止して固定することができる。
【００４４】
また、本実施形態では、閉塞部２１の上端部から棟側に向かって突出する突片部２２１が、凸部３０の上面における段落部３０４とその棟側部分の間の段差に形成された係止用孔３００に挿入されている。このため、図１０の矢印に示されるように凸部３０上を軒側に向かって流れてきた雨水が凸部３０の天面部と差込部２２２の間に入り込み難くなる。従って、凹凸屋根材３の軒側端部において雨水が溜まりにくい構造となる。
【００４５】
また、本実施形態の面戸２の各突片部２２１の上面は、凸部３０の上面において段落部３０４よりも棟側に位置する部分よりも一段低い位置に配置される。このため、凸部３０上を流れる雨水はスムーズに突片部２２１上に流れるようになっている。そして、このように突片部２２１上に流れた雨水は、水切部２０２を伝って軒樋４へ流れ込む。
【００４６】
なお、前記各実施形態では、機能パネルを太陽光発電パネル５で構成したが、その他の機能を有するパネルで構成しても構わない。また、機能パネルは省略可能である。また、本発明は片流れ屋根だけではなく切妻屋根等のその他の形状の屋根にも適用可能である。その他、本発明は上記し且つ図面に示した実施形態にのみ限定されるものではなく、要旨を逸脱しない範囲内で適宜変更して実施し得るものである。
【符号の説明】
【００４７】
２  面戸
３  凹凸屋根材
２１  閉塞部
２２  係止用突部
３０  凸部
３１  凹部
２１０  固定部
２２０  突片部
２２１  突片部
３００  係止用孔
３０４  段落部
【図１】
2014095237.tif 000003
【図２】
2014095237.tif 000004
【図３】
2014095237.tif 000005
【図４】
2014095237.tif 000006
【図５】
2014095237.tif 000007
【図６】
2014095237.tif 000008
【図７】
2014095237.tif 000009
【図８】
2014095237.tif 000010
【図９】
2014095237.tif 000011
【図１０】
2014095237.tif 000012
【図１１】
2014095237.tif 000013